(57)【要約】【課題】ヒートシンクの安定性を維持しつつ、ヒートシンクの放熱効果を高めることができる照明装置を提供する。【解決手段】枠体と、枠体の内側に所定方向に並んで配置された一対の照明モジュールと、枠体に設けられ、且つ、所定方向における左端及び右端が一対の照明モジュールのそれぞれに下方から接触することで、一対の照明モジュールを支持する支持部材５８とを備え、一対の照明モジュールの各々は、配線基板と、配線基板に実装されたＬＥＤ１６と、配線基板に取り付けられるとともに、支持部材５８に接触することで支持部材５８に支持され、ＬＥＤからの熱を放熱するヒートシンクと、を有し、支持部材５８のヒートシンクとの接触面６１ａ及び６１ｂは、下方に向かうに連れ、ヒートシンクの内側に向かう傾斜を有し、ヒートシンクの支持部材５８との接触面２７ａ及び２７ｂは、下方に向かうに連れ、ヒートシンクの内側に向かう傾斜を有する。【選択図】図６Ｂ
2014175188.tif 000002
【特許請求の範囲】
【請求項１】
枠体と、
前記枠体の内側に配置された、発光素子からの熱を放熱するヒートシンクを有する照明モジュールと、
を備え、
前記枠体と前記照明モジュールとは接触し、
前記枠体と前記照明モジュールとの接触面は傾斜を有する
照明装置。
【請求項２】
さらに、
前記枠体に設けられ、且つ、左端及び右端が前記ヒートシンクに接触する支持部材を備え、
前記ヒートシンクと前記照明モジュールとの接触面は傾斜を有する
請求項１に記載の照明装置。
【請求項３】
前記支持部材の前記左端の接触面と前記右端の接触面とは、傾斜角度が異なる
請求項２に記載の照明装置。
【請求項４】
前記支持部材は、前記支持部材の短手方向に移動可能に前記枠体に取り付けられる
請求項２又は３に記載の照明装置。
【請求項５】
さらに、
一端が前記枠体に係わり合い、他端が第１締結部材により前記支持部材に締結される開き止め部材を備える
請求項２〜４のいずれか１項に記載の照明装置。
【請求項６】
前記支持部材と前記開き止め部材とは、一体形成されている
請求項５に記載の照明装置。
【請求項７】
前記支持部材は、前記支持部材と前記ヒートシンクとを締結する第２締結部材の頭部を保持するための凹形状のレールを有し、
前記第２締結部材の頭部は、多角形状であり、
前記第２締結部材の頭部の最大幅は、前記レールの幅よりも大きい
請求項２〜６のいずれか１項に記載の照明装置。
【請求項８】
前記第２締結部材の軸部の先端にはキャップ状のナットが取り付けられている
請求項７に記載の照明装置。
【請求項９】
前記照明モジュールは、一対の照明モジュールであり、
前記一対の照明モジュールの、一方は前記支持部材の左端に接触し、他方は前記支持部材の右端に接触する
請求項２〜８のいずれか１項に記載の照明装置。
【請求項１０】
前記枠体の形状は矩形であり、
前記枠体の第１辺と前記照明モジュールとの接触面と、前記枠体の前記第１辺に対向する位置に設けられた第２辺と前記照明モジュールとの接触面とは、傾斜角度が異なる
請求項１〜９のいずれか１項に記載の照明装置。
【発明の詳細な説明】
【技術分野】
【０００１】
本発明は、例えばトンネル内等を照明するための照明装置に関する。
【背景技術】
【０００２】
例えばトンネル内等を照明するための照明装置は、ＬＥＤ（Ｌｉｇｈｔ  Ｅｍｉｔｔｉｎｇ  Ｄｉｏｄｅ）から発生する熱を放熱するヒートシンクと、ヒートシンクと接触することでヒートシンクに発生した熱を伝達するヒートパイプとを備えている（例えば、特許文献１参照）。
【先行技術文献】
【特許文献】
【０００３】
【特許文献１】特開２０１２−１５０８２号公報
【発明の概要】
【発明が解決しようとする課題】
【０００４】
しかしながら、上述した従来の照明装置では、次のような課題が生じる。ヒートシンクのサイズは、製造時にバラつきが生じる。このため、ヒートシンクのサイズが設計値に比べて小さい場合には、ヒートシンクとヒートパイプとの接触面積が小さくなり、ＬＥＤで発生した熱をヒートパイプに効率的に伝達させて放熱することができない。このため、放熱効果が悪くなるという課題が生じる。また、隙間が生じるとヒートシンクがヒートシンクの支持部材から外れやすくなり、ヒートシンクの安定性が悪くなるという課題も生じる。
【０００５】
本発明は、上述の課題を解決するためになされたものであり、ヒートシンクの安定性を維持しつつ、ヒートシンクの放熱効果を高めることができる照明装置を提供することを目的とする。
【課題を解決するための手段】
【０００６】
上記目的を達成するために、本発明の一態様に係る照明装置は、枠体と、前記枠体の内側に配置された、発光素子からの熱を放熱するヒートシンクを有する照明モジュールと、を備え、前記枠体と前記照明モジュールとは接触し、前記枠体と前記照明モジュールとの接触面は傾斜を有する。
【０００７】
これによると、照明モジュール又は枠体のサイズが設計値からずれていたとしても、枠体とヒートシンクの接触面が傾斜を有している。このため、枠体に照明モジュールを取り付ける際に、いずれかの位置においてヒートシンクが枠体に接触する。つまり、枠体とヒートシンクとを隙間なく接触させることができる。よって、ヒートシンクの安定性を維持しつつ、ヒートシンクの放熱効果を高めることができる。
【０００８】
また、上述の照明装置は、さらに、前記枠体に設けられ、且つ、左端及び右端が前記ヒートシンクに接触する支持部材を備え、前記ヒートシンクと前記照明モジュールとの接触面は傾斜を有していてもよい。
【０００９】
これによると、照明モジュール又は枠体のサイズが設計値からずれていたとしても、支持部材とヒートシンクの接触面が傾斜を有している。このため、支持部材に照明モジュールを取り付ける際に、いずれかの位置においてヒートシンクが支持部材に接触する。つまり、支持部材とヒートシンクとを隙間なく接触させることができる。よって、ヒートシンクの安定性を維持しつつ、ヒートシンクの放熱効果を高めることができる。
【００１０】
また、前記支持部材の前記左端の接触面と前記右端の接触面とは、傾斜角度が異なっていてもよい。
【００１１】
これによると、ヒートシンクを誤った向きで支持部材に取り付けようとした場合には、正確に取り付けることができない。このため、ヒートシンクが誤った向きで支持部材に取り付けられるのを防止することができる。
【００１２】
また、前記支持部材は、前記支持部材の短手方向に移動可能に前記枠体に取り付けられていてもよい。
【００１３】
これによると、照明モジュールのサイズにバラつきが生じても、支持部材を移動させることで安定性良く照明モジュールを支持部材に取り付けることができる。よって、照明モジュールのサイズのバラつきを吸収することができる。
【００１４】
また、上述の照明装置は、さらに、一端が前記枠体に係わり合い、他端が第１締結部材により前記支持部材に締結される開き止め部材を備えていてもよい。
【００１５】
これによると、支持部材を枠体に締結することができる。これにより、枠体が支持部材の長手方向に開くのを防止することができる。
【００１６】
また、前記支持部材と前記開き止め部材とは、一体形成されていてもよい。
【００１７】
また、前記支持部材は、前記支持部材と前記ヒートシンクとを締結する第２締結部材の頭部を保持するための凹形状のレールを有し、前記第２締結部材の頭部は、多角形状であり、前記第２締結部材の頭部の最大幅は、前記レールの幅よりも大きくてもよい。
【００１８】
これによると、第２締結部材の軸部にナットを締結する際に、第２締結部材の頭部がレールの内面に当たる。これにより、ナットの締結方向に第２締結部材が供回りするのを阻止することができる。
【００１９】
また、前記第２締結部材の軸部の先端にはキャップ状のナットが取り付けられていてもよい。
【００２０】
これによると、支持部材とヒートシンクとの締結部分に水が入るのを防止することができる。
【００２１】
また、前記照明モジュールは、一対の照明モジュールであり、前記一対の照明モジュールの、一方は前記支持部材の左端に接触し、他方は前記支持部材の右端に接触していてもよい。
【００２２】
また、前記枠体の形状は矩形であり、前記枠体の第１辺と前記照明モジュールとの接触面と、前記枠体の前記第１辺に対向する位置に設けられた第２辺と前記照明モジュールとの接触面とは、傾斜角度が異なっていてもよい。
【００２３】
これによると、ヒートシンクを誤った向きで枠体に取り付けようとした場合には、正確に取り付けることができない。このため、ヒートシンクが誤った向きで枠体に取り付けられるのを防止することができる。
【発明の効果】
【００２４】
本発明によると、ヒートシンクの安定性を維持しつつ、ヒートシンクの放熱効果を高めることができる照明装置を提供することができる。
【図面の簡単な説明】
【００２５】
【図１】実施の形態に係る照明装置の正面側を示す図である。
【図２】実施の形態に係る照明装置の背面側を示す斜視図である。
【図３】図１中のＡ−Ａ線により切断した照明モジュールの断面図である。
【図４】照明モジュールの一部を分解した状態を示す斜視図である。
【図５】図１中のＢ−Ｂ線により切断した照明装置の要部断面図である。
【図６Ａ】照明モジュールの取付前における、図５の一部を拡大して示す要部断面図である。
【図６Ｂ】照明モジュールの取付後における、図５の一部を拡大して示す要部断面図である。
【図７Ａ】照明モジュールの取付後における、図５の一部を拡大して示す要部断面図である。
【図７Ｂ】照明モジュールの取付後における、図５の一部を拡大して示す要部断面図である。
【図８】照明モジュールを外した状態の照明装置の正面側を示す斜視図である。
【図９】照明モジュールを外した状態の照明装置の背面側を示す図である。
【図１０】図１中のＣ−Ｃ遷移より切断した照明装置の断面図である。
【図１１】照明モジュールを外した状態の照明装置の正面側を示す斜視図である。
【図１２】１つの照明モジュールを備える照明装置の正面側を示す斜視図である。
【図１３】照明モジュールの一部を分解した状態を示す斜視図である。
【図１４Ａ】照明モジュールの取付後における、図５の一部を拡大して示す要部断面図である。
【図１４Ｂ】照明モジュールの取付後における、図５の一部を拡大して示す要部断面図である。
【発明を実施するための形態】
【００２６】
以下、実施の形態に係る照明装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
［照明装置の全体構成］
まず、図１及び図２を参照しながら、実施の形態に係る照明装置の全体構成について説明する。図１は、照明装置の正面側を示す図である。図２は、実施の形態に係る照明装置の背面側を示す斜視図である。
【００２８】
図１及び図２に示すように、照明装置２は、枠体４及び複数（本実施の形態では４個）の照明モジュール６を備えている。本実施の形態の照明装置２は、例えば、トンネル内を照明するための照明装置である。
【００２９】
枠体４は、複数の照明モジュール６を支持するためのものである。枠体４は、４個の枠部材４ａ〜４ｄが略矩形状に組み合わされることにより構成されている。一対の枠部材４ａ，４ｂは、所定方向（すなわち、図１における上下方向）に相互に対向して配置されている。一対の枠部材４ｃ，４ｄは、上記所定方向に対して略直交する方向（すなわち、図１における左右方向）に相互に対向して配置されている。４個の枠部材４ａ〜４ｄはそれぞれ、例えばアルミニウム等で形成されている。
【００３０】
枠部材４ａには、照明装置２の背面側に向けて延びる支持アーム８が取り付けられている。支持アーム８には、複数の照明モジュール６の各々に点灯電力を供給するための電源装置１０が支持されている。さらに、一対の枠部材４ｃ，４ｄには、照明装置２の背面側に向けて延びる取付ハンドル１２が取り付けられている。取付ハンドル１２には、ボルト（図示せず）を挿入するための一対の貫通孔１４が設けられている。ボルトが取付ハンドル１２の一対の貫通孔１４の各々を通してトンネル内の壁面等に締結されることにより、照明装置２がトンネル内の壁面等に取り付けられる。
【００３１】
複数の照明モジュール６の各々は、照明装置２の外部（例えばトンネル内）に向けて光を照射するためのものである。複数の照明モジュール６は、枠体４の内側に、例えば２行２列に並んで配置されている。複数の照明モジュール６の各々の構成及び枠体４への取付構造については、後述する。
【００３２】
［照明モジュールの構成］
次に、図３及び図４をも参照しながら、複数の照明モジュール６の各々の構成について説明する。図３は、図１中のＡ−Ａ線により切断した照明モジュールの断面図である。図４は、照明モジュールの一部を分解した状態を示す斜視図である。なお、複数の照明モジュール６の各々の構成は同一であるため、以下では、複数の照明モジュール６のうち一つの照明モジュール６の構成について説明する。
【００３３】
図３及び図４に示すように、照明モジュール６は、複数のＬＥＤ１６（複数のＬＥＤ１６の各々は発光素子を構成する）、配線基板１８、ヒートシンク２０、防塵カバー部材２２及びレンズカバー部材２４を有している。
【００３４】
複数のＬＥＤ１６の各々は、チップ型のＬＥＤである。複数のＬＥＤ１６の各々は、配線基板１８に実装されている。なお、配線基板１８は、例えばアルミニウム等で形成されている。
【００３５】
ヒートシンク２０は、平板状の取付部２６と、取付部２６の裏面から略垂直に延びる複数の放熱フィン２８と、を有している。なお、ヒートシンク２０は、例えばアルミニウム等の放熱性の高い金属で形成されている。
【００３６】
取付部２６の表面には、複数のネジ３０により配線基板１８が熱伝達可能に取り付けられている。なお、本願明細書において、「熱伝達可能に」とは、熱を十分に伝達可能なようにという意味であり、「熱伝達可能に接触」とは、直接的に接触する場合だけでなく、熱伝導部材等を介して間接的に接触する場合をも含む概念である。取付部２６の四隅にはそれぞれ、ボルト６２（後述する）を挿入するための貫通孔３２が設けられている。取付部２６の外周部には、ネジ５０（後述する）をネジ止めするためのネジ孔３４が複数設けられている。さらに、取付部２６には、防水ソケット３６を取り付けるための貫通孔３８が設けられている。防水ソケット３６の先端部から延びる一対のリード線４０の各々は、配線基板１８上の電極端子（図示せず）に電気的に接続されている。なお、図２に示すように、防水ソケット３６は、ケーブル４２を介して上述した電源装置１０に電気的に接続されている。
【００３７】
複数の放熱フィン２８は、上記所定方向に対して略直交する方向（すなわち、上記所定方向に対して交差する方向）に間隔を置いて配置されている。複数の放熱フィン２８の上記所定方向における両端部にはそれぞれ、一対の凹部４４が設けられている。一対の凹部４４の各々は、最も外側に配置された放熱フィン２８と、最も外側から１つ内側に配置された放熱フィン２８との間に設けられている。さらに、一対の凹部４４の各々は、上記所定方向に沿って延びている。
【００３８】
防塵カバー部材２２は、複数の放熱フィン２８の各々の先端部を覆うようにして、最も外側に配置された一対の放熱フィン２８にそれぞれ取り付けられている。防塵カバー部材２２には、複数の通気孔４６が設けられている。この防塵カバー部材２２は、複数の放熱フィン２８の各々の間に塵埃等が入り込むのを防止するためのものである。なお、防塵カバー部材２２は、例えばアルミニウム等で形成されている。
【００３９】
レンズカバー部材２４は、水滴等がレンズカバー部材２４の内側に浸入するのを防止する防水機能と、複数のＬＥＤ１６の各々からの光の配光角（すなわち、光の広がる角度）を制御する光学機能と、を有している。レンズカバー部材２４の外周部には、上述した取付部２６の複数のネジ孔３４に対応して、複数の貫通孔４８が設けられている。複数のネジ５０の各々は、貫通孔４８を通してネジ孔３４にネジ止めされている。これにより、レンズカバー部材２４は、配線基板１８を覆うようにしてヒートシンク２０の取付部２６の表面に取り付けられている。なお、レンズカバー部材２４は、例えば透光性を有する樹脂等で形成されている。
【００４０】
ここで、レンズカバー部材２４の上記防水機能について説明する。図１及び図３に示すように、レンズカバー部材２４の裏面側には、レンズカバー部材２４の外周部の全周に渡ってシール部材５２が取り付けられている。このシール部材５２により、レンズカバー部材２４の外周部において、レンズカバー部材２４と取付部２６との間の隙間がシールされる。
【００４１】
次に、レンズカバー部材２４の上記光学機能について説明する。レンズカバー部材２４には、複数のＬＥＤ１６に対応して、複数のレンズ部５４が設けられている。図３に示すように、複数のレンズ部５４の各々は、対応するＬＥＤ１６の発光面に近接して配置されている。複数のＬＥＤ１６の各々からの光は、対応するレンズ部５４を通過する。このとき、複数のＬＥＤ１６の各々からの光の配光角は、対応するレンズ部５４によって制御される。
【００４２】
なお、レンズカバー部材２４の裏面には、防水ソケット３６の先端部及び一対のリード線４０を収納するための収納凹部５６が設けられている。
【００４３】
［照明モジュールの枠体への取付構造］
次に、図５、図６Ａ及び図６Ｂをも参照しながら、複数の照明モジュール６の各々の枠体４への取付構造について説明する。図５は、図１中のＢ−Ｂ線により切断した照明装置の要部断面図である。図６Ａは、照明モジュール６の取付前における、図５の一部を拡大して示す要部断面図である。図６Ｂは、照明モジュール６の取付後における、図５の一部を拡大して示す要部断面図である。図７Ａは、照明モジュール６の取付後における、図５の一部を拡大して示す要部断面図である。図７Ｂは、照明モジュール６の取付後における、図５の一部を拡大して示す要部断面図である。
【００４４】
図２及び図４〜図６Ｂに示すように、枠体４には、複数の照明モジュール６の各々を支持する支持部材５８が設けられている。支持部材５８は、上記所定方向に沿って長尺状に延びている。支持部材５８の一端部は、枠部材４ａに取り付けられ、支持部材５８の他端部は、枠部材４ｂに取り付けられている。支持部材５８の表面側（すなわち、照明装置２の正面側）には、上記所定方向に沿って延びる一対のレール６０ａ，６０ｂが設けられている。一対のレール６０ａ，６０ｂは、上記所定方向に対して略直交する方向に間隔を置いて配置されている。一対のレール６０ａ，６０ｂの各々には、４個のボルト６２（４個のボルト６２の各々は第２締結部材を構成する）が移動自在に装着されている。具体的には、４個のボルト６２の各々の頭部６２ａが一対のレール６０ａ，６０ｂの各々の開口された端部から挿入されることにより、４個のボルト６２の各々の軸部６２ｂが一対のレール６０ａ，６０ｂの各々から突出している。支持部材５８の裏面側（すなわち、照明装置２の背面側）には、複数の放熱フィン６４が設けられている。複数の放熱フィン６４の各々は、上記所定方向に沿って延びている。なお、支持部材５８は、例えばアルミニウム等で形成されている。
【００４５】
さらに、図５に示すように、枠体４には、一対の支持部６６，６８が設けられている。支持部６６は枠部材４ｃの内側面に設けられ、支持部６８は枠部材４ｄの内側面に設けられている。一対の支持部６６，６８の各々は、上記所定方向に沿って長尺状に延びている。一対の支持部６６，６８にはそれぞれ、上記所定方向に沿って延びるレール７０，７２が設けられている。一対のレール７０，７２の各々には、４個のボルト６２が移動自在に装着されている。上述と同様に、４個のボルト６２の各々の頭部６２ａが一対のレール７０，７２の各々の開口された端部から挿入されることにより、４個のボルト６２の各々の軸部６２ｂが一対のレール７０，７２の各々から突出している。なお、一対の支持部６６，６８は、例えばアルミニウム等で形成されている。
【００４６】
図４〜図６Ｂに示すように、ヒートシンク２０の取付部２６の一端部（すなわち、上記所定方向に対して略直交する方向における一端部）に設けられた一対の貫通孔３２の各々には、支持部材５８のレール６０ａ（又はレール６０ｂ）に装着されたボルト６２の軸部６２ｂが挿入されている。当該ボルト６２の軸部６２ｂにナットキャップ７４が嵌められることにより、取付部２６の一端部は、支持部材５８に締結されている。これにより、取付部２６の一端部は、支持部材５８に熱伝達可能に接触している。
【００４７】
なお、ボルト６２の頭部６２ａは多角形状であり、頭部６２ａの最大幅は、レール６０ａの幅よりも大きい。これにより、ナットキャップ７４をボルト６２の軸部６２ｂに嵌めた際に、ボルト６２がナットキャップ７４の締付方向に供回りしようとするが、ボルト６２の頭部６２ａがレール６０ａ（又はレール６０ｂ）の内面に当たることにより、ボルト６２の供回りが阻止される。
【００４８】
さらに、図５〜図６Ｂに示すように、ヒートシンク２０の取付部２６の他端部（すなわち、上記所定方向に対して略直交する方向における他端部）に設けられた一対の貫通孔３２の各々には、支持部６６のレール７０（又は支持部６８のレール７２）に装着されたボルト６２の軸部６２ｂが挿入されている。当該ボルト６２の軸部６２ｂにナットキャップ７４が嵌められることにより、取付部２６の他端部は、支持部６６（又は支持部６８）に締結されている。これにより、取付部２６の他端部は、枠部材４ｃ（又は枠部材４ｄ）に熱伝達可能に接触している。
【００４９】
上述したようにして、複数の照明モジュール６の各々は、枠体４に取り付けられる。ここで、本実施の形態の照明装置２の特徴的な構成について説明する。図４〜図６Ｂに示すように、支持部材５８のヒートシンク２０（取付部２６）との接触面６１ａ及び６１ｂは、下方（照明装置２の背面側）に向かうに連れ、ヒートシンク２０の内側に向かう傾斜を有する。つまり、支持部材５８は、接触面６１ａ及び６１ｂの部分がテーパー形状を有している。また、ヒートシンク２０（取付部２６）の支持部材５８との接触面２７ａ及び２７ｂは、上記下方に向かうに連れ、ヒートシンク２０（取付部２６）の内側に向かう傾斜を有する。つまり、接触面２７ａ及び２７ｂは、接触面６１ａ及び６１ｂとそれぞれ接触するような傾斜を有している。図６Ａに示すように取付部２６が支持部材５８に支持されていない状態から取付部２６を矢印方向に押し込むことにより、図６Ｂに示すように取付部２６と支持部材５８とが接触面で接触する。これにより、ヒートシンク２０が支持部材５８に熱伝達可能に接触する。このような構成により、照明モジュール６のヒートシンク２０（取付部２６）又は枠体４のサイズが設計値からずれていたとしても、支持部材５８の上方から照明モジュール６を支持部材５８に取り付ける際に、いずれかの位置において取付部２６が支持部材５８に隙間なく接触し、ヒートシンク２０が支持部材５８に支持される。よって、ヒートシンク２０の安定性を維持しつつ、ヒートシンク２０の熱を支持部材５８を伝って放出することができる。
【００５０】
なお、接触面６１ａ及び６１ｂのそれぞれの傾斜角度は、３度から４５度の間の角度である。望ましくは、５度である。同様に、接触面２７ａ及び２７ｂのそれぞれの傾斜角度は、３度から４５度の間の角度である。望ましくは、５度である。
【００５１】
また、図７Ａに示すように枠部材４ｃとヒートシンク２０（取付部２６）との接触面１０３は、下方に向かうに連れヒートシンク２０の内側に向かう傾斜を有している。このため、枠部材４ｃに照明モジュール６を取り付ける際に、隙間なく枠部材４ｃとヒートシンク２０とを接触させることができる。よって、ヒートシンク２０の熱を枠部材４ｃを伝って外部に放出することができる。同様に、図７Ｂに示すように枠部材４ｄとヒートシンク２０（取付部２６）との接触面１０３は、下方に向かうに連れヒートシンク２０の内側に向かう傾斜を有している。このため、枠部材４ｄに照明モジュール６を取り付ける際に、隙間なく枠部材４ｄとヒートシンク２０とを接触させることができる。よって、ヒートシンク２０の熱を枠部材４ｄを伝って外部に放出することができる。
【００５２】
次に、支持部材５８の枠体４への取付構造について説明する。図８は、照明モジュール６を外した状態の照明装置２の正面側を示す斜視図である。図９は、照明モジュール６を外した状態の照明装置２の背面側を示す図である。図１０は、図１中のＣ−Ｃ遷移より切断した照明装置２の断面図である。
【００５３】
上述したように支持部材５８の一端部は、枠部材４ａに取り付けられ、支持部材５８の他端部は、枠部材４ｂに取り付けられている。なお、支持部材５８は、支持部材５８の短手方向（すなわち、枠部材４ａ及び枠部材４ｂの長尺方向）に移動可能に枠部材４ａ及び枠部材４ｂに取り付けられる。これにより、支持部材５８を矢印１０１又は矢印１０２の方向に移動させることができる。図１０に示すように、支持部材５８の一端部には、開き止め部材９０ａが取り付けられる。開き止め部材９０ａは、一端が枠部材４ａに係わり合い、他端がネジ９２ａ（第１締結部材を構成する）により支持部材５８に締結されるまた、支持部材５８の他端部には、開き止め部材９０ｂが取り付けられる。開き止め部材９０ｂは、一端が枠部材４ｂに係わり合い、他端がネジ９２ｂ（第１締結部材を構成する）により支持部材５８に締結される。なお、支持部材５８と開き止め部材９０ａ及び開き止め部材９０ｂは、一体形成されていてもよい。
【００５４】
［効果］
以上説明したように、本実施の形態によると、照明モジュール６のヒートシンク２０（取付部２６）又は枠体４のサイズが設計値からずれていたとしても、支持部材５８に照明モジュール６を取り付ける際に、いずれかの位置において取付部２６が支持部材５８に接触し、ヒートシンク２０が支持部材５８に支持される。つまり、支持部材５８とヒートシンク２０とを隙間なく接触させることができる。よって、ヒートシンク２０の安定性を維持しつつ、ヒートシンク２０の放熱効果を高めることができる。
【００５５】
また、支持部材５８は、ヒートシンク２０の底面及び側面から照明モジュール６を支持する。このため、ヒートシンク２０の底面のみで照明モジュール６を支持する場合に比べ、支持部材５８にかかる力を分散させることができ、支持部材５８及び照明モジュール６が破壊されるのを防止することができる。
【００５６】
また、取付部２６と支持部材５８との接触部をテーパー形状にすることにより、取付部２６と支持部材５８とを滑らかに接触させることができる。
【００５７】
また、支持部材５８を移動可能な構成としていることにより、照明モジュール６のサイズにバラつきが生じても、支持部材５８を移動させることで安定性良く照明モジュール６を支持部材５８に取り付けることができる。よって、照明モジュール６のサイズのバラつきを吸収することができる。
【００５８】
また、開き止め部材９０ａ及び９０ｂを用いることにより、支持部材５８を枠体４に締結することができる。これにより、枠体４が支持部材５８の長手方向に開くのを防止することができる。
【００５９】
また、ボルト６２の軸部６２ｂにナットキャップ７４が嵌めていることにより、支持部材５８とヒートシンク２０との締結部分に水が入るのを防止することができる。
【００６０】
以上、本発明の実施の形態に係る照明装置について説明したが、本発明は、この実施の形態に限定されるものではない。
【００６１】
例えば、図６Ａ及び図６Ｂに示した接触面６１ａと接触面６１ｂとは、互いに異なる傾斜角度を有していてもよい。これに伴い、接触面２７ａは接触面６１ａと同じ傾斜角度を有し、接触面２７ｂは接触面６１ｂと同じ傾斜角度を有する。例えば、接触面２７ａ及び接触面６１ａの傾斜角度を５度とし、接触面２７ｂ及び接触面６１ｂの傾斜角度を１０度としてもよい。これにより、ヒートシンク２０を誤った向きで支持部材５８に取り付けようとした場合には、正確に取り付けることができない。このため、ヒートシンク２０が誤った向きで支持部材５８に取り付けられるのを防止することができる。
【００６２】
また、支持部材５８の接触面６１ａ及び６１ｂの部分がテーパー形状を有しているとしてが、接触面６１ａ及び６１ｂが、下方（照明装置２の背面側）に向かうに連れ、支持部材５８の幅が広がる傾斜を有していればそれ以外の形状であってもよい。例えば、放物線形状であってもようし、階段形状であってもよい。
【００６３】
また、上述の実施の形態では、枠体４に照明モジュール６を４つ取り付けた構成としたが、照明モジュール６の数は５以上であっても良いし、３以下であってもよい。例えば、図１１に示すような枠体４に、照明モジュール６を１つ取り付け、図１２に示すような照明装置２としてもよい。この場合には、支持部材５８は備えられない。照明モジュール６と枠部材４ｃ及び４ｄとは、図７Ａ及び図７Ｂに示したような傾斜を有する接触面１０３で接する。
【００６４】
また、上述の実施の形態では、支持部材５８の上方から照明モジュール６を取り付けることとしたが、支持部材５８の下方から照明モジュール６を取り付けてよい。この場合には、図１３に示すように、支持部材５８の照明モジュール６との接触面６１ａ及び６１ｂの部分が下向きのテーパー形状を有していてもよい。また、接触面６１ａ及び６１ｂと接触するように、照明モジュール６の支持部材５８との接触面６ａ及び６ｂが傾斜を有していてもよい。
【００６５】
また、図１４Ａに示すように枠部材４ｃとヒートシンク２０（取付部２６）との接触面１０３は、上方に向かうに連れヒートシンク２０の内側に向かう傾斜を有していてもよい。同様に、図１４Ｂに示すように枠部材４ｄとヒートシンク２０（取付部２６）との接触面１０３は、上方に向かうに連れヒートシンク２０の内側に向かう傾斜を有していてもよい。
【産業上の利用可能性】
【００６６】
本発明は、例えばトンネル内等を照明するための照明装置として適用することができる。
【符号の説明】
【００６７】
２  照明装置
４  枠体
４ａ，４ｂ，４ｃ，４ｄ  枠部材
６  照明モジュール
８  支持アーム
１０  電源装置
１２  取付ハンドル
１４，３２，３８，４８  貫通孔
１６  ＬＥＤ
１８  配線基板
２０  ヒートシンク
２２  防塵カバー部材
２４  レンズカバー部材
２６  取付部
６ａ，６ｂ，２７ａ，２７ｂ，６１ａ，６１ｂ，１０３  接触面
２８，６４  放熱フィン
３０，５０，９２ａ，９２ｂ  ネジ
３４  ネジ孔
３６  防水ソケット
４０  リード線
４２  ケーブル
４４  凹部
４６  通気孔
５２  シール部材
５４  レンズ部
５６  収納凹部
５８  支持部材
６０ａ，６０ｂ，７０，７２  レール
６２  ボルト
６２ａ  頭部
６２ｂ  軸部
６６，６８  支持部
７４  ナットキャップ
９０ａ，９０ｂ  開き止め部材
１０１，１０２  矢印
【図１】
2014175188.tif 000003
【図２】
2014175188.tif 000004
【図３】
2014175188.tif 000005
【図４】
2014175188.tif 000006
【図５】
2014175188.tif 000007
【図６Ａ】
2014175188.tif 000008
【図６Ｂ】
2014175188.tif 000009
【図７Ａ】
2014175188.tif 000010
【図７Ｂ】
2014175188.tif 000011
【図８】
2014175188.tif 000012
【図９】
2014175188.tif 000013
【図１０】
2014175188.tif 000014
【図１１】
2014175188.tif 000015
【図１２】
2014175188.tif 000016
【図１３】
2014175188.tif 000017
【図１４Ａ】
2014175188.tif 000018
【図１４Ｂ】
2014175188.tif 000019